(57)【要約】【課題】ガスケットの作業性を保証する取付部中に複数の空気層を形成することで、断熱性能を高めることができるが、安定した成形が困難であるという課題を有していた。【解決手段】ガスケット１３０は、マグネットを内蔵したマグネット保持部１３１と、断熱扉に設けた溝と係合する取付部１３２と、取付部１３２とマグネット保持部１３１を伸縮自由に接続する可撓部１３３と、取付部１３２の中に設けられた隔壁より２つに分割されたａ袋状部とｂ袋状部、前記取付部先端にヒレを備え、前記隔壁は前記取付部の両側面の肉厚より小さい肉厚とし、隔壁は傾斜させることにより、金型の形状が他の部位と比べ薄くなる部分を最小限にでき、ガスケットの成形性と断熱向上を確保することができる。【選択図】図３
2014238212.tif 000002
【特許請求の範囲】
【請求項１】
内箱と、外箱と、前記内箱および前記外箱の間に充填された断熱材とにより形成された断熱箱体と、前記断熱箱体を温度帯の異なる貯蔵室を上下に仕切る仕切壁と、断熱箱体内を冷気が供給される複数の貯蔵室に分け各々の貯蔵室の前面に開閉可能な扉と、前記扉に設けられ前記貯蔵室の前面開口部に密着する扉ガスケットとを備えた冷蔵庫において、
前記扉ガスケットは、磁石を内蔵した第１袋状部と、断熱扉に設けた溝と係合する取付部の第２袋状部と、第２袋状部と第１袋状部の間に扉ガスケットの伸縮性を保証する第３袋状部を備え、前記第２袋状部は隔壁により前後方向に分割され、前記隔壁は前記開口部の開口面に対して傾斜させたことを特徴とする冷蔵庫。
【請求項２】
前記隔壁の肉厚は前記第２袋状部を構成する側壁の肉厚より薄く形成したことを特徴とする請求項１に記載の冷蔵庫。
【請求項３】
前記第２袋状部を構成する側壁に熱伝導抑制部を設けたことを特徴とする請求項１または２に記載の冷蔵庫。
【発明の詳細な説明】
【技術分野】
【０００１】
本発明は、省エネ効果の高い冷凍冷蔵庫のガスケットに関するものである。
【背景技術】
【０００２】
省エネルギーに対する要求が厳しくなる中、断熱技術で侵入熱の低減、特にガスケット部からの侵入熱量の低減が重視されている。（例えば、特許文献１、２参照）
以下、図面を参照しながら従来の冷蔵庫のガスケットを説明する。
【０００３】
図５は従来の冷凍冷蔵庫のガスケットの断面平面図である。図５において、ガスケット４０は、マグネット（図示せず）を内蔵したマグネット保持部４１と、断熱扉に取り付けられる溝と係合する取付部４２と、前記マグネット保持部４１と前記取付部４２を繋ぐ伸縮自由に接続する可撓部４３と、前記マグネット保持部４１の貯蔵室側の横側に接してマグネット保持部４１と可撓部４３との間に形成したマグネット横袋状部４５とから構成される。空気層を形成するガスケット４０のマグネット保持部４１に設けられたマグネットが、扉の閉時に冷蔵庫本体に吸着することで、断熱箱体と断熱扉はガスケット４０を介して密閉される。これにより、冷蔵庫外部の熱またはホットラインから発熱された熱が冷蔵庫の内部に浸透したり、冷蔵庫内部の冷気が冷蔵庫の外部に漏洩したりすることを遮断し熱漏洩を防止している。
【先行技術文献】
【特許文献】
【０００４】
【特許文献１】特開２０１２−３７１５１号公報
【特許文献２】特開２０１２−８３０６９号公報
【発明の概要】
【発明が解決しようとする課題】
【０００５】
しかしながら、上記従来のガスケットの構成では、断熱性と作業性を保証する取付部４２の空気層によって断熱性能を確保できるが、それ以上に断熱性を高めるためにさらなる空気層の追加などにより複雑な形状とした場合には、扉ガスケットの押し出し成形時の安定した成形が困難であるという課題があった。
【０００６】
本発明は上記従来の課題を解決するものであり、成形性を確保した上で省エネ効果の高いガスケットを備えた冷蔵庫を提供することを目的とする。
【課題を解決するための手段】
【０００７】
上記従来の課題を解決するために、本発明の冷蔵庫は、内箱と、外箱と、前記内箱および前記外箱の間に充填された断熱材とにより形成された断熱箱体と、前記断熱箱体を温度帯の異なる貯蔵室を上下に仕切る仕切壁と、断熱箱体内を冷気が供給される複数の貯蔵室に分け各々の貯蔵室の前面に開閉可能な扉と、前記扉に設けられ前記貯蔵室の前面開口部に密着する扉ガスケットとを備えた冷蔵庫において、
前記扉ガスケットは、磁石を内蔵した第１袋状部と、断熱扉に設けた溝と係合する取付部の第２袋状部と、第２袋状部と第１袋状部の間に扉ガスケットの伸縮性を保証する第３袋状部を備え、前記第２袋状部は隔壁により前後方向に分割され、前記隔壁は前記開口部の開口面に対して傾斜させたものである。
【０００８】
これにより、扉ガスケットの押し出し成形時の安定した成形性を確保した上で、断熱性能を高めたガスケットを得ることができる。
【発明の効果】
【０００９】
本発明の冷蔵庫は、成形性を確保した断熱効果を有した断熱空気層を取付部に追加することで、ガスケット本体の空気熱伝達を抑えることにより侵入熱量を低減させ、消費電力量を下げた冷蔵庫を提供できる。
【図面の簡単な説明】
【００１０】
【図１】本発明の実施の形態１における冷蔵庫の正面図
【図２】本発明の実施の形態１における冷蔵庫の縦断面図
【図３】本発明の実施の形態１における冷蔵庫のガスケットの断面図
【図４】本発明の実施の形態１における冷蔵庫の間口部の断面図
【図５】従来の冷蔵庫のガスケットの断面図
【発明を実施するための形態】
【００１１】
第１の発明は、内箱と、外箱と、前記内箱および前記外箱の間に充填された断熱材とにより形成された断熱箱体と、前記断熱箱体内の貯蔵室の前面に備えた開閉可能な扉と、前記扉に設けられ前記貯蔵室の前面開口部に密着するガスケットとを備えた冷蔵庫において、前記ガスケットは、マグネットを内蔵したマグネット保持部と、断熱扉に設けた溝と係合する取付部と、前記取付部の中に設けられた隔壁より２つに分割されたａ袋状部とｂ袋状部と、前記取付部の先端にヒレを備え、前記隔壁は前記取付部の両側面の肉厚より薄い肉厚とし、且つ傾斜させたことにより、金型の形状が他の部位と比べ薄くなる部分を最小限にでき、金型の強度劣化を抑制することで安定した成形を可能にする。また、工場で前記ガスケットを扉に設けられている溝に組立挿入する時の前記取付部の強度を向上することができる。又、前記ガスケットと扉が組立する状態時に前記取付部先端に備えたヒレと扉インナが形成する空気層と前記隔壁により前記取付部の中に形成する空気層を備えたことで断熱性能を向上させ、ガスケットからの侵入熱量を低減させ、消費電力量を下げた冷蔵庫を提供できる。
【００１２】
第２の発明は、第１の発明において、前記ガスケットは、前記取付部の中に設けられた隔壁より２つに分割されたａ袋状部とｂ袋状部において、扉インナに近い扉側前記ｂ袋状部の庫内側の高さＡが庫外側の高さＢより小さいとすることにより、扉側の断熱空気層は庫外側からの熱伝達を低減させ、侵入熱量をより効率よく抑えることができる。
【００１３】
第３の発明は、第１または第２の発明において、前記ガスケットは、前記取付部両側面壁に熱伝導抑制部を設けることにより、ガスケット本体による熱伝導を抑制し、庫内への侵入熱量を低減することができる。
【００１４】
以下、本発明の実施の形態について、図面を参照しながら説明する。なお、この実施の形態によって本発明が限定されるものではない。
【００１５】
（実施の形態１）
図１は本発明の実施の形態１における冷蔵庫の正面図である。図２は本発明の実施の形態１における冷蔵庫の縦断面図である。図３は本発明の実施の形態１における冷蔵庫のガスケットの要部拡大断面図である。図４は本発明の実施の形態１における冷蔵庫の間口部の断面図である。
【００１６】
図１、図２において、冷蔵庫１００の冷蔵庫本体である断熱箱体１０１は、主に鋼板を用いた外箱１０２と、ＡＢＳなどの樹脂で成型された内箱１０３と、外箱１０２と内箱１０３との間の空間に発泡充填される硬質発泡ウレタンなどの発泡断熱材とで構成され、周囲と断熱され、複数の貯蔵室に区画されている。最上部に第一の貯蔵室としての冷蔵室１
０４、その冷蔵室１０４の下部に第四の貯蔵室としての第二の冷凍室１０５と第五の貯蔵室としての製氷室１０６が横並びに設けられ、その第二の冷凍室１０５と製氷室１０６の下部に第二の貯蔵室としての第一の冷凍室１０７、そして最下部に第三の貯蔵室としての野菜室１０８が配置される構成となっている。
【００１７】
冷蔵室１０４は、回転扉である冷蔵室右扉１０４ａと冷蔵室左扉１０４ｂを備え、内部には、冷蔵室棚１０４ｃや冷蔵室ケース１０４ｄが適切に配設され、貯蔵空間を整理し易く構成している。一方、その他の貯蔵室は引き出し式扉を有し、それぞれ第二の冷凍室扉１０５ａには第二の冷凍室ケース１０５ｂが、製氷室扉１０６ａには製氷室ケース１０６ｂが、第一の冷凍室扉１０７ａには上段冷凍室ケース１０７ｂおよび下段冷凍室ケース１０７ｃが、野菜室扉１０８ａには上段野菜室ケース１０８ｂおよび下段冷凍室ケース１０８ｃが、それぞれ扉に取り付けられたフレームに載置される。
【００１８】
冷蔵室１０４は冷蔵保存のために凍らない温度である冷蔵温度帯に設定されており、通常１℃から５℃とし、野菜室１０８は冷蔵室１０４と同等の冷蔵温度帯もしくは若干高い温度設定の野菜温度帯２℃から７℃としている。第一の冷凍室１０７は冷凍温度帯に設定されており、冷凍保存のために通常−２２℃から−１５℃で設定されているが、冷凍保存状態の向上のために、例えば−３０℃や−２５℃の低温で設定されることもある。
【００１９】
第二の冷凍室１０５は、第一の冷凍室１０７と同等の冷凍温度帯または若干高い温度設定−２０℃から−１２℃の第一の収納区画である。製氷室１０６は、冷蔵室１０４内の貯水タンク（図示せず）から送られた水で室内上部に設けられた自動製氷機（図示せず）で氷を作り、製氷室ケース１０６ｂに貯蔵する。
【００２０】
断熱箱体１０１の天面部は冷蔵庫の背面方向に向かって階段状に凹みを設けた形状であり、この階段状の凹部に機械室１０１ａを形成して、機械室１０１ａに、圧縮機１０９、水分除去を行うドライヤ（図示せず）等の冷凍サイクルの高圧側構成部品が収容されている。すなわち、圧縮機１０９を配設する機械室１０１ａは、冷蔵室１０４内の最上部の後方領域に食い込んで形成されることになる。
【００２１】
このように、手が届きにくくデッドスペースとなっていた断熱箱体１０１の最上部の貯蔵室後方領域に機械室１０１ａを設けて圧縮機１０９を配置することにより、従来の冷蔵庫で、使用者が使いやすい断熱箱体１０１の最下部にあった機械室のスペースを貯蔵室容量として有効に転化することができ、収納性や使い勝手を大きく改善することができる。
【００２２】
冷凍サイクルは、圧縮機１０９と凝縮器と減圧器であるキャピラリーと冷却器１１２とを順に備えた一連の冷媒流路から形成されており、冷媒として炭化水素系冷媒である例えばイソブタンが封入されている。
【００２３】
圧縮機１０９はピストンがシリンダ内を往復動することで冷媒の圧縮を行う往復動型圧縮機である。断熱箱体１０１に、三方弁や切替弁を用いる冷凍サイクルの場合は、それらの機能部品が機械室１０１ａ内に配設されている場合もある。
【００２４】
また、本実施の形態では冷凍サイクルを構成する減圧器をキャピラリーとしたが、パルスモーターで駆動する冷媒の流量を自由に制御できる電子膨張弁を用いてもよい。
【００２５】
なお、本実施の形態における、以下に述べる発明の要部に関する事項は、従来一般的であった断熱箱体１０１の最下部の貯蔵室後方領域に機械室を設けて圧縮機１０９を配置するタイプの冷蔵庫に適用しても構わない。
【００２６】
第一の冷凍室１０７の背面には冷気を生成する冷却室１１０が設けられ、第二の冷凍室１０５および製氷室１０６、第一の冷凍室１０７からなる貯蔵室と冷却室１１０とを区画するために仕切部材１１１が構成されている。冷却室１１０内には、冷却器１１２が配設されており、貯蔵室と熱交換して温められた空気と熱交換し、冷気を生成している。仕切部材１１１は、貯蔵室側仕切部材１１１ａと冷却室側仕切部材１１１ｂとから構成され、冷却室側仕切部材１１１ｂは、送風機１１３を備える。貯蔵室側仕切部材１１１ａと冷却室側仕切部材１１１ｂとの間の空間は、送風ダクト１１１ｃであり、送風機１１３により強制的に送り出された冷気を冷蔵室１０４、第二の冷凍室１０５、製氷室１０６、第一の冷凍室１０７、野菜室１０８に導く。
【００２７】
また、冷却器１１２の下部空間には冷却時に冷却器１１２やその周辺に付着する霜や氷を除霜するためのガラス管製のラジアント加熱手段１１４が設けられ、さらにその下部には除霜時に生じる除霜水を受けるためのドレンパン１１５、その最深部から庫外に貫通したドレンチューブ１１６が構成され、その下流側の庫外に蒸発皿１１７が構成されている。
【００２８】
冷蔵室１０４と他貯蔵室とを区画する仕切壁１１８と貯蔵室側仕切部材１１１ａとの間に上部吐出口１２０を有し、第二の冷凍室１０５と製氷室１０６と第一の冷凍室１０７へ図中の矢印のように冷気を送る。上記の貯蔵室内に吐出された冷気は、第二の冷凍室ケース１０５ｃ、製氷室ケース１０６ｂ、上段冷凍室ケース１０７ｂおよび下段冷凍室ケース１０７ｃを循環した後、貯蔵室側仕切部材１１１ａの下部に設けられた戻り吸込口１２５を通り再び冷却器１１２へ戻り循環される。
【００２９】
また、仕切壁１１８には、ダンパ１２１が配設され、ダンパ１２１を通った冷気は、さらに冷蔵室ダクト１２２および野菜室ダクト（図示せず）に分流され、それぞれの吐出口から冷蔵室１０４および野菜室１０８に送られる。
【００３０】
図１および図２にも示すように、これら各貯蔵室、即ち、冷蔵室１０４、第二の冷凍室１０５、製氷室１０６、第一の冷凍室１０７および野菜室１０８の前面に設けられた各断熱扉、即ち、冷蔵室右扉１０４ａ、冷蔵室左扉１０４ｂ、第二の冷凍室扉１０５ａ、製氷室扉１０６ａ、第一の冷凍室扉１０７ａおよび野菜室扉１０８ａには、各扉の貯蔵室側の周縁部において、扉と断熱箱体１０１との隙間を密閉して熱漏洩の防止を行い、ポリ塩化ビニルなどの軟質樹脂を押出成形されたガスケット１３０が設けられている。
【００３１】
次に、本発明の冷蔵庫のガスケットについて、図３、図４を用いて説明する。ガスケット１３０は、内箱１０３と、外箱１０２と、内箱１０３および外箱１０２の間に充填された断熱材とにより形成された断熱箱体１０１と、断熱箱体１０１を温度帯の異なる貯蔵室を上下に仕切る仕切壁１１８と、断熱箱体１０１内を冷気が供給される複数の貯蔵室に分け各々の貯蔵室の前面に開閉可能な扉と、扉に設けられ貯蔵室前面開口部に密着するガスケット１３０とを備えた冷蔵庫１００において、マグネットを内蔵したマグネット保持部１３１と、断熱扉に設けた溝と係合する取付部１３２と、取付部１３２とマグネット保持部１３１の間にガスケットの伸縮性を保証する可撓部１３３と、マグネット保持部１３１の下部に接してマグネット保持部１３１と可撓部１３３との間に形成したマグネット下袋状部１３４とを備えている。
【００３２】
さらに、マグネット保持部１３１の貯蔵室内側に接してマグネット横袋状部１３５を有し、マグネット下袋状部１３４がマグネット保持部１３１とマグネット横袋状部１３５とを跨いで構成されている。
【００３３】
また、ガスケット１３０は、可撓部１３３に延在して、貯蔵室内側方向に独立した内周
側袋状部１３６を備えている。
【００３４】
また、取付部１３２の両側面にあり、庫外側から庫内側の間に熱伝導抑制部１４０を設けている。熱伝導抑制部１４０とは、ガスケット基本肉厚に対し２／３以下の厚みとした溝形状のことである。
【００３５】
具体的には、マグネット保持部１３１、取付部１３２、可撓部１３３、マグネット下袋状部１３４、マグネット横袋状部１３５、可撓部１３３と内周側袋状部１３６が形成されるガスケット本体において、マグネット保持部１３１は、図３における上側に配設されている。このマグネット保持部１３１は、断面が横長矩形状で、内部にマグネットが挿入されて収納されている。
【００３６】
また、取付部１３２の内部に隔壁１３９を設けることで空気層１３２ａと１３２ｂと、可撓部１３３の内部の空気層と、マグネット下袋状部１３４の内部の空気層と、マグネット横袋状部１３５の内部の空気層と、内周側袋状部１３６内部の空気層が形成される。以上のように、ガスケット本体の内部は、マグネット保持部１３１と、複数の空気層に分割されている。可撓部１３３により形成される空気層は、複数の空気層のうち最大面積となる構成である。前記取付部１３２の中に設けられた隔壁１３９より２つに分割されたａ袋状部とｂ袋状部と、前記取付部１３２の先端にヒレを備え、前記隔壁１３９は前記取付部の両側面の肉厚より薄い肉厚とし、且つ貯蔵室前面開口部の開口面に対して傾斜させたことにより、金型の形状が他の部位と比べ薄くなる部分を最小限にできるものである。
【００３７】
また、前記取付部１３２の中に設けられた隔壁１３９より２つに分割されたａ袋状部とｂ袋状部において、扉インナ１３７に近い扉側前記ｂ袋状部の庫内側の高さＡが庫外側の高さＢより小さくなるように構成している。
【００３８】
以上のように構成された冷蔵庫について、以下その動作、作用を説明する。
【００３９】
まず、本発明のガスケット１３０は、庫内と庫外の断熱を目的とし、キャビネットと開閉扉との間に装着され、庫内冷気の露出を効果的に遮断でき、庫外の熱が庫内側に侵入することを抑制できるように複数の袋状部やヒレを配置している。本発明は伸縮性を保証する可撓部１３３の中にありマグネットを内蔵したマグネット保持部１３１の下部にマグネット下袋状部１３４を設けて、断熱空気層を形成することで断熱効果を向上させることができるようにした。また、マグネット保持部１３１の下側にマグネット保持部１３１とマグネット横袋状部１３５を跨いでいるマグネット下袋状部１３４と、マグネット保持部１３１の貯蔵室側の横側にマグネット横袋状部１３５を設けることで、マグネット周囲に断熱空気層を形成し、庫外とマグネットからの熱漏洩を抑えることで侵入熱量を下げることができる。また、可撓部１３３と一本連結部で繋げる貯蔵室側の方向に突出した内周側袋状部１３６を設けることで、貯蔵室庫内側に断熱空気層を形成し、庫内気体の移動と熱伝達を抑制することと本発明のガスケット１３０本体よりの熱伝導を抑えることで庫内外の熱交換を抑制し侵入熱量を低減させることができる。また、断熱扉に設けた溝と係合する取付部１３２と、前記取付部１３２の中に設けられた隔壁より２つに分割されたａ袋状部とｂ袋状部を備え、前記隔壁１３９は前記取付部１３２の両側面の肉厚より小さい肉厚とし、且つ傾斜させたことにより、前記取付部１３２の両側面の間の熱伝導を抑え、前記ａ袋状部とｂ袋状部による断熱空気層形状は扉側から庫内側への侵入熱量の熱伝達を低減させ、断熱効果を高めることができる。そして、金型の形状が他の部位と比べ薄くなる部分を最小限にでき、金型の強度劣化を抑制することで安定した成形を可能にする。また、工場で前記ガスケット１３０を扉に設けられている溝に組立挿入する時の前記取付部１３２の強度を向上することができる。
【００４０】
そして、前記ガスケット１３０は、前記取付部１３２の先端にヒレを備え、前記ガスケットと扉が組立する状態時に前記取付部先端に備えたヒレと扉インナ１３７が形成する２つ断熱空気層を備えたことで扉と前記ガスケット１３０の間熱交換を抑制し、断熱性能を向上させ、前記ガスケット１３０から庫内への侵入熱量を低減させることができる。
【００４１】
また、前記取付部１３２の中に設けられた前記隔壁１３９より２つに分割されたａ袋状部とｂ袋状部において、前記扉インナ１３７に近い扉側前記ｂ袋状部の庫内側の高さＡが庫外側の高さＢより小さいとすることにより、前記隔壁１３９より形成された断熱空気層は扉と庫内の位置に合わせ、扉側からの熱伝達をより良く抑え、侵入熱量を効率よく低減することができる。
【００４２】
また、前記ガスケット１３０は、前記取付部１３２の両側面壁に熱伝導抑制部である溝部１４０を設けることにより、扉から前記ガスケット１３０本体による庫内への熱縁切りを行うことで庫内への侵入熱量を抑え消費電力量を低減することができる。
【００４３】
以上のように、本実施の形態においては、ガスケット１３０の構成を取付部１３２の中に設けられた隔壁１３９より２つに分割されたａ袋状部とｂ袋状部と、取付部１３２の先端にヒレと、取付部１３２の両側面壁に熱伝導抑制部である溝部１４０を備え、前記隔壁１３９は取付部１３２の両側面の肉厚より小さい肉厚とし、且つ傾斜させたことにより、安定した成形性と組立挿入性を確保し、庫内冷気流をより効率良く遮蔽し、庫外への熱漏洩を抑え、ガスケット１３０からの侵入熱量を低減し、消費電力量を低減した冷蔵庫を提供することができる。
【産業上の利用可能性】
【００４４】
以上のように、本発明にかかる冷蔵庫のガスケットは断熱性能を高めることができるので、扉を有する断熱箱体を備えたあらゆる冷却機器に適用することができる。
【符号の説明】
【００４５】
１００  冷蔵庫
１０１  断熱箱体
１０２  外箱
１０３  内箱
１０４  冷蔵室
１０５  第二の冷凍室
１０６  製氷室
１０７  第一の冷凍室
１０８  野菜室
１０４ａ  冷蔵室右扉
１０４ｂ  冷蔵室左扉
１０５ａ  第二の冷凍室扉
１０６ａ  製氷室扉
１０７ａ  第一の冷凍室扉
１０８ａ  野菜室扉
１３０  ガスケット
１３１  マグネット保持部
１３２  取付部
１３３  可撓部
１３４  マグネット下袋状部
１３５  マグネット横袋状部
１３６  内周側袋状部
１３７  扉インナ
１３８  扉シェル
１３９  隔壁
１４０  熱伝導抑制部（溝部）
【図１】
2014238212.tif 000003
【図２】
2014238212.tif 000004
【図３】
2014238212.tif 000005
【図４】
2014238212.tif 000006
【図５】
2014238212.tif 000007